(57)【特許請求の範囲】
【請求項１】
水槽内のドレン水を吸い上げるドレンポンプと、
前記ドレンポンプを制御する第一の制御基板と、
前記水槽内の前記ドレン水の水量を検知するセンサとを備え、
前記第一の制御基板は、
ドレンポンプがない空気調和機へ接続する信号用の第一の接続部と、他のドレンアップ装置へ接続する信号用の第二の接続部とを有し、かつ、
電源用の第一の接続部および電源用の第二の接続部を有し、前記電源用の第一の接続部と前記電源用の第二の接続部は、一方が電源に接続される接続部であり、他方が前記他のドレンアップ装置に電源を供給する電源供給用の接続部であり、かつ、
前記センサが異常水位を検知した場合、前記空気調和機は運転が停止され、
前記信号用の第二の接続部に接続された前記他のドレンアップ装置から前記水量の異常信号を受信した場合に、前記ドレンポンプを停止させるとともに、前記空気調和機は運転が停止される
ことを特徴とするドレンアップ装置。
【請求項２】
請求項１に記載のドレンアップ装置において、
前記第一の制御基板は、前記空気調和機とは、異なる種類の機器と接続する信号用の第三の接続部を有する
ことを特徴とするドレンアップ装置。
【請求項３】
請求項１に記載のドレンアップ装置において、
前記他のドレンアップ装置は、
ドレン水を汲み上げる他のドレンポンプと、
前記他のドレンポンプを制御する第二の制御基板とを備え、
前記第一の制御基板と前記第二の制御基板とは、信号用の接続が直列に接続されている
ことを特徴とするドレンアップ装置。
【請求項４】
請求項１から請求項３のうちの何れか一項に記載のドレンアップ装置を備える
ことを特徴とする空気調和機。
【発明の詳細な説明】
【技術分野】
【０００１】
本発明は、ドレンアップ装置およびこれを備えた空気調和機に関する。
【背景技術】
【０００２】
空気調和機の室内ユニットには、熱交換器に発生したドレン水（結露水）が流入するドレンパンが設けられている。ドレンパンに流入したドレン水は、通常、勾配を利用してドレンホースにより自動的に外部に排出される。或いは、ドレンパンに溜まったドレン水をドレンポンプにより汲み上げて強制的に外部に排出している。
【０００３】
しかし、ドレンポンプを内蔵していない室内ユニットにおいて、設置場所などの関係からドレンパンに流入したドレン水を強制的に排出したい場合がある。このような場合、室内ユニットとは別にドレンアップ装置を設け、ドレンアップ装置により室内ユニットのドレンパン内のドレン水を外部に排出している。
【０００４】
そして、更に高い位置まで排出する場合、室内ユニット１台に対してドレンアップ装置を複数台接続する場合がある。この場合、従来の接続は信号配線を分岐させて並列に接続し、何れかのドレンアップ装置に異常が生じたときに当該ドレンアップ装置に接続した室内ユニットに異常を知らせる。
なお、先行技術文献として、特許文献１がある。
【先行技術文献】
【特許文献】
【０００５】
【特許文献１】特開２０１０−１７５２１３号公報
【発明の概要】
【発明が解決しようとする課題】
【０００６】
ところで、室内ユニットに異常が知らされた場合、室内ユニットに接続されたどのドレンアップ装置に異常が生じたか判別がつかない。しかし、空気調和機停止後も、熱交換器に残留するドレン水がしばらく排出される。
【０００７】
また、どのドレンアップ装置に異常が生じたか判別がつかないため、ドレン水を送るドレンポンプの運転が継続される。こうして、室内ユニットの熱交換器に残留するドレン水が異常状態のドレンアップ装置に送水され、該ドレンアップ装置の水槽からオーバーフローが生じるおそれがある。
【０００８】
加えて、従来、ドレンアップ装置を複数台配線接続するには、据え付け場所で信号線を分岐させて接続する作業が必要である。
また、ドレンアップ装置を２台（複数台）接続する場合、従来、各々別電源で外部から電源供給している。従来、各ドレンアップ装置の電源コネクタが１ケなので、各ドレンアップ装置毎接続する必要がある。
【０００９】
２台目以降は天井内に設置されることが多く、外部から電源を供給しようとすると外部電源付近に設置しなければならず、設置場所が限定される問題がある。
【００１０】
本発明は上記実状に鑑み創案されたものであり、ドレン水のオーバーフローが生ぜず、配線接続が容易なドレンアップ装置およびこれを備えた空気調和機の提供を目的とする。
【課題を解決するための手段】
【００１１】
前記課題を解決するため、本発明のドレンアップ装置は、水槽内のドレン水を吸い上げるドレンポンプと、前記ドレンポンプを制御する第一の制御基板と、前記水槽内の前記ドレン水の水量を検知するセンサとを備え、前記第１の制御基板は、空気調和機へ接続する信号用の第一の接続部と他のドレンアップ装置へ接続する信号用の第二の接続部とを有し、かつ、電源用の第一の接続部および電源用の第二の接続部を有し、前記電源用の第一の接続部と前記電源用の第二の接続部は、一方が電源に接続される接続部であり、他方が前記他のドレンアップ装置に電源を供給する電源供給用の接続部であり、かつ、前記センサが異常水位を検知した場合、前記空気調和機は運転が停止され、前記信号用の第二の接続部に接続された前記他のドレンアップ装置から前記水量の異常信号を受信した場合に、前記ドレンポンプを停止させるとともに、前記空気調和機は運転が停止されている。
【発明の効果】
【００１２】
本発明によれば、ドレン水のオーバーフローが生ぜず、配線接続が容易なドレンアップ装置およびこれを備えた空気調和機を実現できる。
【図面の簡単な説明】
【００１３】
【図１】本発明の実施形態に係る空気調和機の室内ユニットと複数台のドレンアップ装置とを接続した状態を示す外観図。
【図２】ドレンアップ装置の分解斜視図。
【図３】ドレンアップ装置本体部の分解斜視図。
【図４】複数台の室内ユニット、ドレンアップ装置の信号線の接続時のシステム図。
【図５】他の複数台の室内ユニット、ドレンアップ装置の信号線の接続時のシステム図。
【図６】（ａ）は上位ドレンアップ装置を自社の室内ユニットにのみ接続した制御基板の接続の一例を示す図、（ｂ）は上位ドレンアップ装置を自社の室内ユニットと下位ドレンアップ装置とに接続した制御基板の接続の一例を示す図。
【図７】（ａ）は上位ドレンアップ装置を他社の室内ユニットにのみ接続した制御基板の接続の他例を示す図、（ｂ）は上位ドレンアップ装置を他社の室内ユニットと下位ドレンアップ装置とに接続した制御基板の接続の一例を示す図。
【発明を実施するための形態】
【００１４】
以下、本発明の実施形態について、適宜図面を参照しながら詳細に説明する。
本発明は、空気調和機の室内ユニットとは別に設けられ、室内ユニットのドレンパン内のドレン水を外部に排出するためのドレンアップ装置および該ドレンアップ装置を備えた空気調和機に係る。
【００１５】
図１は本発明の実施形態に係る空気調和機の室内ユニットと複数台のドレンアップ装置とを接続した状態を示す外観図である。
実施形態の空気調和機Ｃは、室内の冷暖房を行う室内ユニット（室内機）１を有している。
室内ユニット１には、上位ドレンアップ装置２と、下位ドレンアップ装置３とが順に接続されている。ユニット（１、２、３）間はドレン配管４（４ａ、４ｂ、４ｃ）で接続されている。
ドレン配管４には、以下説明するドレン水が排水のために流れる。
【００１６】
室内ユニット１は、筐体１ｋの内部に室外ユニット（図示せず）から送られる冷媒が流れる熱交換器（図示せず）を有する。室内ユニット１の熱交換器内の冷媒が室内の空気と熱交換され、室内が冷房または暖房される。
【００１７】
室内ユニット１が冷房運転する場合、室内の空気が熱交換器に流れる低温冷媒によって冷却されることで、露点以下の温度となり結露水（ドレン水）が発生する。室内ユニット１内には、熱交換器の下部に熱交換器から落下する結露水（以下、ドレン水と称す）を貯溜するドレンパン（図示せず）が設けられている。
【００１８】
室内ユニット１は、ドレンパン内のドレン水が勾配を利用して外部に排水できない場所に設置されている。
そこで、下位ドレンアップ装置３はドレン水を室内ユニット１より高い所から外部に排出するため、室内ユニット１より高い位置に配置される。
【００１９】
上位ドレンアップ装置２は、室内ユニット１のドレンパン内のドレン水を吸い上げる機能を有する。下位ドレンアップ装置３は、上位ドレンアップ装置２に接続される。下位ドレンアップ装置３は、上位ドレンアップ装置２が吸い上げたドレン水を、ドレン配管４ｂを介して、さらに吸い上げ、ドレン配管４ｃを通して外部へ排出する。
【００２０】
＜上位ドレンアップ装置２と下位ドレンアップ装置３＞
図２はドレンアップ装置の分解斜視図である。
上位ドレンアップ装置２と下位ドレンアップ装置３とは、同様な構成であるから、上位ドレンアップ装置２について説明を行い、下位ドレンアップ装置３に関しての説明は省略する。
上位ドレンアップ装置２は、本体部５が前面カバー１０で覆われている。
【００２１】
前面カバー１０は電気品カバー８を含む本体部５の前面、上下面、及び両側面を着脱可能に覆うほぼ箱状のカバーである。前面カバー１０は、その一部が本体部５に係合され、前面側の１か所がねじにより本体部５に固定される。
ドレンアップ装置２の本体部５の下部には水槽６が着脱可能に収容される水槽収容部７が設けられている。水槽６の左右方向の一方の側壁には、ドレン配管によって室内ユニット１に接続されるドレン口４ｋが設けられており、室内ユニット１のドレンパン内のドレン水は、ドレン配管４ａを介してドレンアップ装置２の水槽６に自動的に流入する。
【００２２】
図３はドレンアップ装置本体部の分解斜視図である。
水槽収容部７の上方には、上位ドレンアップ装置２を運転制御する制御部等を構成する電気品１４が配置されている。
電気品１４は着脱可能にねじ止めされる電気品カバー８（図２参照）によって覆われている。電気品１４は上位ドレンアップ装置２を駆動する制御基板２ａ（図４参照）を含んでいる。下位ドレンアップ装置３の場合、電気品１４は下位ドレンアップ装置３を駆動する制御基板３ａ（図４参照）を含んでいる。
【００２３】
図３に示すように、電気品１４に隣接して、水槽６内に溜まったドレン水をドレンポンプ１１で吸い上げるドレン排出用のドレンホース９が、ドレンポンプ１１の流出口に接続され設けられている。
上位ドレンアップ装置２は、ドレンポンプ１１、ドレンポンプ１１を駆動する駆動装置、およびフロートスイッチ、ドレンセンサ等の水量を検知するセンサ（１２、１３）を備えている。水位を検知するセンサ（１２、１３）はドレンアップ装置（２、３）１台に対し２個装着されている。センサ（１２、１３）は、それぞれ水槽６の内部におけるドレンポンプ１１の運転水位と異常水位の検知を行う。
【００２４】
１２は、ドレンポンプ１１の水槽６内の運転水位を検知する水位センサである。水位センサ１２は、例えばフロートスイッチが用いられる。
１３は、水槽６内のドレン水の水位が何らかの原因で異常水位に達したことを検知するドレンセンサである。ドレンセンサ１３は、水槽６内が異常水位になったことを検知する。
【００２５】
ドレンポンプ１１の運転水位とは、ドレンポンプ１１の運転開始、運転停止の制御を行うために予め定められる水槽６内のドレン水の水位である。運転水位により、水槽６の内部のドレン水がある水位（運転開始の水位）まで溜まったらドレンポンプ１１が運転され、水位を一定レベルの水位（運転停止の水位）まで下げる構成である。すなわち、運転水位には、ドレンポンプ１１の運転を開始する水位である運転開始水位と、ドレンポンプ１１の運転を停止する水位である運転停止水位とがある。
【００２６】
ドレンセンサ１３により検知される異常水位とは、水槽６内のドレン水が何らかの理由で排出されず、限界水位として設定される水位であり、予め設定される。
水位センサ１２は、例えばフロートスイッチであり、水槽６内のドレンポンプ１１の運転水位を継続的に検知する。
【００２７】
室内ユニット１のドレン水がドレン口４ｋを介して水槽６に流入する。そして、水槽６に貯溜したドレン水があるレベル（所定の運転開始の水位）に達すると、水位センサ１２がその運転水位を検知する。すると、電気品１４の制御部は当該検知信号に基づいてドレンポンプ１１の駆動を開始し、ドレンポンプ１１は、水槽６内のドレン水を吸い上げてドレンホース９により下位ドレンアップ装置３または外部へ排出する。また、ドレンセンサ１３が異常水位を検知した場合、電気品１４の制御部は当該検知信号に基づき、上位の機器の室内ユニット１に知らせる。なお、当該ドレンアップ装置が下位ドレンアップ装置３の場合は上位ドレンアップ装置２に異常を知らせる。
上位・下位ドレンアップ装置２、３をそれぞれ制御する制御基板２ａ、３ａ（図４、図５参照）は同様な構成である。
【００２８】
＜室内ユニット１、上位・下位ドレンアップ装置２、３の信号線接続＞
前記したように、従来の２台のドレンアップ装置の信号線の接続方法は、室内ユニットに接続される１台のドレンアップ装置の接続線から分岐配線し、分岐配線にもう１台のドレンアップ装置を接続していた。つまり、各ドレンアップ装置は並列に接続されていた。そのため、例えば、何れかのドレンアップ装置に異常が発生し、異常信号が室内ユニットの制御部に送信された場合、室内ユニットの制御部は何れのドレンアップ装置に異常が発生しているか不明であった。
【００２９】
これに対し、本実施形態（本発明）の上位ドレンアップ装置２は、上位ドレンアップ装置２と下位ドレンアップ装置３とが信号用の接続が直列になっているため、何れのドレンアップ装置が異常となっているかを信号の流れから把握することができる。そのため、上位ドレンアップ装置２と下位ドレンアップ装置３の各異常状態に合わせて対応を採ることができる。
【００３０】
図４に複数台の室内ユニット、ドレンアップ装置の信号線の接続時のシステム図を示す。
室内ユニット１の制御基板１ａ、上位ドレンアップ装置２の制御基板２ａ、および下位ドレンアップ装置３の制御基板３ａは、接続線ｓ１を介して、接続されている。接続線ｓ１は各機器の制御基板１ａ、２ａ、３ａを接続する信号用の接続線である。接続線ｓ１を介して、制御基板１ａ、２ａ、３ａ間で信号が授受される。制御基板２ａは、第一の接続部２ａ１、第二の接続部２ａ２、および第三の接続部２ａ３を有する。同様に、制御基板３ａは、第一の接続部３ａ１、第二の接続部３ａ２、および、第三の接続部３ａ３を有する。制御基板２ａ、３ａにはマイクロコンピュータ、ドレンポンプ駆動制御回路、センサ回路等の周辺回路が実装されている。
上位ドレンアップ装置２の制御基板２ａの第一の接続部２ａ１は、外部機器と接続可能な信号用の接続部である。
【００３１】
第二の接続部２ａ２は、他のドレンアップ装置と接続可能な信号用の接続部である。
第三の接続部２ａ３は、第一の接続部２ａ１とは別の信号用の接続部であり、他の外部機器１ｂの接続部１ｂ１と接続できる。例えば、第一の接続部２ａ１は、固有の自社製品に接続できるコネクタである。一方、第三の接続部２ａ３は、汎用の他社製品に接続できるコネクタである。第三の接続部２ａ３は、例えば、ＪＥＭＡ（日本電気工業会）の通信規格のものである。なお、第三の接続部２ａ３は、ＪＥＭＡ（日本電気工業会）の通信規格以外のものであってもよい。
【００３２】
信号用の第一・第二・第三の接続部２ａ１、２ａ２、２ａ３を介して授受される各信号は、機器の運転情報と水位の異常情報とを含む。
下位ドレンアップ装置３の制御基板３ａの第一・第二・第三の接続部３ａ１、３ａ２、３ａ３は、それぞれ制御基板２ａの第一・第二・第三の接続部２ａ１、２ａ２、２ａ３と同様な構成である。
【００３３】
上記構成により、上位ドレンアップ装置２は、第一の接続部２ａ１で、例えば自社固有の室内ユニット１の接続部１ａ１と接続し、第二の接続部２ａ２で下位ドレンアップ装置３の第一の接続部３ａ１と接続できる。
なお、制御基板１ａ、２ａ、３ａ間の電源用の配線接続はコネクタまたは端子台接続としている。
【００３４】
図５に複数台の室内ユニット、ドレンアップ装置の信号線の接続時のシステム図の他例を示す。
制御基板２ａにおける第一の接続部２ａ１とは別の第三の接続部２ａ３は、他の外部機器と接続し、信号の授受が行える。
【００３５】
例えば、図５に示すように、第一の接続部２ａ１を自社製品と接続する接続部とし、第三の接続部２ａ３を他の製品（１ｂ）の接続部１ｂ１と接続する接続部とし、或いは、第一の接続部２ａ１を空気調和機と接続する接続部とし、第三の接続部２ａ３を空気調和機器以外の外部機器１ｂの接続部１ｂ１と接続する接続部としたり使い分けることができる。
上位ドレンアップ装置２の制御基板２ａは、下位ドレンアップ装置３の制御基板３ａを接続可能とする信号授受の第二の接続部２ａ２を有することから、室内ユニット１、上位ドレンアップ装置２、下位ドレンアップ装置３の順に直列接続した構成が可能である。
【００３６】
＜上位・下位ドレンアップ装置２、３の電源供給＞
図６（ａ）に、上位ドレンアップ装置を自社の室内ユニットにのみ接続した制御基板の接続の一例を示し、図６（ｂ）に、上位ドレンアップ装置を自社の室内ユニットと下位ドレンアップ装置とに接続した制御基板の接続の一例を示す。
【００３７】
上位・下位ドレンアップ装置２、３の各制御基板２ａ、３ａには、それぞれ電源用の第二の接続部２ｖ２、３ｖ２（図６（ｂ）参照）（例えば、電源渡り配線接続用コネクタ）が設けられる。これにより、制御基板２ａ、３ａ間を電源用に接続可能とし、子機の下位ドレンアップ装置３の電源を親機の上位ドレンアップ装置２から供給できる。
【００３８】
上位ドレンアップ装置２は、室内ユニット１の制御基板１ａと電源用の第一の接続部２ｖ１または第二の接続部２ｖ２で接続され電源が得られる。これにより、上位ドレンアップ装置２は、駆動装置である制御基板２ａを駆動できる。電源は、室内ユニット１から供給されるのではなく単独電源からの供給としてもよい。
【００３９】
下位ドレンアップ装置３は上位ドレンアップ装置２の駆動装置の制御基板２ａの第一の接続部２ｖ１または第二の接続部２ｖ２に接続して電源が得られる。これにより、下位ドレンアップ装置３の駆動装置の制御基板３ａを駆動することができる。下位ドレンアップ装置３の制御基板３ａの電源は、上位ドレンアップ装置２から供給されるのではなく単独電源からの供給としてもよい。
【００４０】
＜自社の室内ユニット１とドレンアップ装置（２、３）との接続＞
上位ドレンアップ装置２の制御基板２ａは、信号用の第一・第二・第三の接続部２ａ１、２ａ２、２ａ３に加え、２つの電源用の第一・第二接続部２ｖ１、２ｖ２を有する（図６（ａ）参照）。電源用の第一・第二接続部２ｖ１、２ｖ２は、互いに接続されている。そのため、第一・第二接続部２ｖ１、２ｖ２の何れかを電源に接続し、他方を他の制御基板３ａへ電源を供給する接続部とされる。
【００４１】
図６（ａ）に示すように、上位ドレンアップ装置２を自社の室内ユニット１にのみ接続する場合、上位ドレンアップ装置２の制御基板２ａの電源用の第一・第二接続部２ｖ１、２ｖ２の何れかが自社の室内ユニット１からの電源または単独電源に接続される。  制御基板２ａの信号用の第一の接続部２ａ１は室内ユニット１の制御基板１ａの接続部１ａ１（図４参照）に接続される。
【００４２】
図６（ｂ）に示すように、上位ドレンアップ装置２を自社の室内ユニット１に接続し、かつ、下位ドレンアップ装置３に接続する場合、下記のように接続される。
電源の接続に関しては、上位ドレンアップ装置２の制御基板２ａの第一・第二接続部２ｖ１、２ｖ２の何れか一方が自社の室内ユニット１からの電源または単独電源に接続され、何れか他方が下位ドレンアップ装置３の制御基板３ａの第一・第二接続部３ｖ１、３ｖ２の何れか一方に接続される。図６（ｂ）では、制御基板２ａの第一接続部２ｖ１が電源に接続され、制御基板２ａの第二接続部２ｖ２が、下位ドレンアップ装置３の制御基板３ａの第一接続部３ｖ１に接続された場合を示している。
【００４３】
信号の接続に関しては、前記図４に示すように、上位ドレンアップ装置２の制御基板２ａの信号用の第一の接続部２ａ１が室内ユニット１の制御基板１ａの接続部１ａ１に接続される。制御基板２ａの信号用の第二の接続部２ａ２は、下位ドレンアップ装置３の制御基板３ａの信号用の第一の接続部３ａ１に接続される。
【００４４】
＜他社の室内ユニットとドレンアップ装置（２、３）との接続＞
図７（ａ）に、上位ドレンアップ装置を他社の室内ユニットにのみ接続した制御基板の接続の他例を示し、図７（ｂ）に、上位ドレンアップ装置を他社の室内ユニットと下位ドレンアップ装置とに接続した制御基板の接続の一例を示す。
【００４５】
図７（ａ）に示すように、上位ドレンアップ装置２を他社の室内ユニットにのみ接続する場合、上位ドレンアップ装置２の制御基板２ａの第一・第二接続部２ｖ１、２ｖ２の何れかが他社の室内ユニット１からの電源または単独電源に接続される。制御基板２ａの信号用の第三の接続部２ａ３は他社の室内ユニットの制御基板１ｂの接続部１ｂ１に接続される。図７（ａ）では、制御基板２ａの第一接続部２ｖ１が電源に接続された場合を示している。
【００４６】
図７（ｂ）に示すように、上位ドレンアップ装置２を他社の室内ユニットに接続し、かつ、下位ドレンアップ装置３に接続する場合、電源の接続に関しては、上位ドレンアップ装置２の制御基板２ａの第一・第二接続部２ｖ１、２ｖ２の何れか一方が他社の室内ユニット１からの電源または単独電源に接続され、何れか他方が下位ドレンアップ装置３の制御基板３ａの第一・第二接続部３ｖ１、３ｖ２の何れか一方に接続される。図７（ｂ）では、制御基板２ａの第一接続部２ｖ１が電源に接続され、制御基板２ａの第二接続部２ｖ２が、下位ドレンアップ装置３の制御基板３ａの第一接続部３ｖ１に接続された場合を示している。
【００４７】
信号の接続に関しては、前記図５に示すように、上位ドレンアップ装置２の制御基板２ａの信号用の第三の接続部２ａ３は他社の室内ユニット１の制御基板１ｂの接続部１ｂ１に接続される。制御基板２ａの信号用の第二の接続部２ａ２は、下位ドレンアップ装置３の制御基板３ａの信号用の第一の接続部３ａ１に接続される。
【００４８】
＜室内ユニット１の運転中の上位・下位ドレンアップ装置２、３の動作＞
次に、実際に室内ユニット１を運転している場合の上位・下位ドレンアップ装置２、３の動作を説明する。
室内ユニット１の熱交換機等で発生した結露水（または加湿器を組み込んでいる場合、加湿器の供給水）が、ドレン配管を通って上位ドレンアップ装置２の水槽６に流入する（図１、図２参照）。
【００４９】
水槽６に貯溜したドレン水がドレンポンプ１１の予め定めた運転開始水位まで到達し水位センサ１２が作動すると、制御基板２ａの制御部は当該検出信号に基づいてドレンポンプ１１を駆動し、水槽６内のドレン水等を吸い上げてドレンホース９により下位ドレンアップ装置３の水槽６に流出させる。下位ドレンアップ装置３の水槽６に貯溜したドレン水がドレンポンプ１１の運転開始水位まで到達したことを、水位センサ１２が検知すると、制御基板３ａの制御部は当該検出信号に基づいてドレンポンプ１１を駆動し、水槽内６のドレン水等を吸い上げてドレンホース９により外部に排出させる。
【００５０】
＜異常を伝える信号の送受信方法＞
上位・下位ドレンアップ装置２、３は、それぞれドレンセンサ１３により異常水位を検出すると各制御基板２ａ、３ａの接点（例えば、リレーの接点）が各制御部の指令により開放される。上位機種の制御部は下位機種の接点状態、つまり接点が“開”か“閉”かを監視しており、下位機種の接点開放を検知すると、上位機種は下位機種が異常状態にあると判断する。例えば、制御部のマイクロコンピュータにドレンセンサ１３から異常信号が入力され、マイクロコンピュータから周辺回路に接点を開く信号が出力され、接点が開放される。
【００５１】
上位ドレンアップ装置２は、下位ドレンアップ装置３の上位機種（親機）に相当し、下位ドレンアップ装置３は上位ドレンアップ装置２の下位機種（子機）に相当する。
『親機（上位ドレンアップ装置２）』異常水位時の制御について説明する。
親機の上位ドレンアップ装置２が異常水位に達し、ドレンセンサ１３が異常水位を検知すると、親機の制御部により接点が開放される。
室内ユニット１の制御部は親機の接点を監視している。室内ユニット１の制御部が親機の接点開放を検知すると親機異常と判断し、室内ユニット１は運転を停止（異常停止）する。親機の運転は、制御基板２ａの制御部により自身の例えばフロートスイッチの水位センサ１２で運転水位が検知されて行われ、運転停止水位に水位が下がるまでドレンポンプ１１の運転が継続される。
【００５２】
子機（下位ドレンアップ装置３）は自身の例えばフロートスイッチの水位センサ１２で水槽６の運転水位を検知して制御基板３ａの制御部により、ドレンポンプ１１の運転を継続する。すなわち、子機の水槽６の水位がドレンポンプ１１の運転開始水位から運転停止水位の間は子機のドレンポンプ１１の運転が遂行される。
【００５３】
次に、『子機（下位ドレンアップ装置３）』異常水位時の制御について説明する。
子機の水槽６が異常水位に達すると子機の制御基板３ａの接点が開放される。
親機（上位ドレンアップ装置２）の制御基板２ａの制御部は子機の制御基板３ａの接点を監視している。親機の制御基板２ａの制御部が、子機の制御基板３ａの接点開放を検知すると子機異常と判断し、親機の水位センサ１２の状態に関係なく親機のドレンポンプ１１の運転を停止する。そして、親機の制御基板２ａの制御部は室内ユニット１に子機の異常を知らせるため、親機の制御基板２ａの接点を開放する。
【００５４】
室内ユニット１の制御部は親機の接点を監視している。室内ユニット１の制御部が、親機の接点開放を検知すると親機異常と判断し、室内ユニット１の運転を停止（異常停止）する。
子機の運転は自身の水位センサ１２で水槽６の水位を検知して行っており、子機の水槽６の水位が運転停止水位になるまで、子機のドレンポンプ１１の運転を継続する。
【００５５】
次に、『親機子機』ともに異常水位時の制御について説明する。
子機、親機ともに異常水位に達すると子機、親機ともにそれぞれの制御基板２ａ、３ａの各接点が開放となる。
親機は子機の制御部の接点を監視している。親機の制御部が子機の制御部の接点開放を検出すると、子機にドレン水を送水しないよう、親機のドレンポンプ１１の運転を停止する。
【００５６】
室内ユニット１の制御部は親機の制御部の接点を監視している。室内ユニット１の制御部が親機の接点開放を検知すると、親機異常と判断し、室内ユニット１の運転を停止（異常停止）する。
子機は自身の水位センサ１２で水槽６の水位を検知しつつ自身のドレンポンプ１１の運転制御を継続し、運転停止水位を検知するまで子機のドレンポンプ１１の運転を継続する。
【００５７】
上記構成によれば、下記の効果を奏する。
１．上位ドレンアップ装置２の制御基板２ａが信号用の第一・第二の接続部２ａ１、２ａ２を有するので室内ユニット１、上位ドレンアップ装置２、および下位ドレンアップ装置３の各信号用の接続が直列に接続できる。そのため、上位ドレンアップ装置２が下位ドレンアップ装置３の状態を把握することができる。従って、どのドレンアップ装置（２、３）が異常かを把握できる。従って、下位ドレンアップ装置３の異常水位の信号を受信した場合、受け取った上位ドレンアップ装置２のドレンポンプ１１の運転要否および室内ユニット１の運転要否を判断することができる。
【００５８】
２．そのため、下位ドレンアップ装置３に異常が生じ、上位ドレンアップ装置２が下位のドレンアップ装置３から異常信号を受信して上位が下位の異常水位を認識した場合、上位ドレンアップ装置２のドレンポンプ１１を停止させ、上位から下位へドレン水を送る運転を停止する。例えば、室内ユニット１が上位ドレンアップ装置２の異常水位を検知すると、室内ユニット１の運転を停止する。
【００５９】
或いは、上位ドレンアップ装置２が下位ドレンアップ装置２の異常水位を検知すると、上位ドレンアップ装置２のドレンポンプ１１の運転を停止するとともに、室内ユニット１の運転が停止される。
これにより、下位のドレンアップ装置に送水されることがなくなり、室内ユニット１のドレンパンと上位ドレンアップ装置２の水槽６とにおいて、ドレン水がオーバーフローすることが抑制される。
【００６０】
３．上位ドレンアップ装置２の制御基板２ａは、信号用の第一・第三の接続部２ａ１、２ａ３を有するので、接続部が異なる自社の固有の室内ユニット１と他社の汎用の室内ユニット１との何れとも接続できる。
【００６１】
４．そのため、自社の室内ユニット１のみならず、他社の室内ユニットであっても、上位ドレンアップ装置２の制御基板２ａと下位ドレンアップ装置３の制御基板３ａとの信号線を直列に接続できる。
【００６２】
５．上位・下位ドレンアップ装置２、３の各制御基板２ａ、３ａは、それぞれ電源用の第一の接続部２ｖ１、３ｖ１と第二の接続部２ｖ２、３ｖ２とを有する。
そのため、上位ドレンアップ装置２の制御基板２ａの第一の接続部２ｖ１を室内ユニット１に接続し、制御基板２ａの第二の接続部２ｖ２を下位ドレンアップ装置３の制御基板３ａの第一の接続部３ｖ１または第二の接続部３ｖ２に接続することで、上位ドレンアップ装置２と下位ドレンアップ装置３とに電源を供給することができる。
【００６３】
６．天井内に配置される子機の下位ドレンアップ装置３の電源を親機の上位ドレンアップ装置２から供給することができるため、下位ドレンアップ装置３を外部電源付近に設置する制約がなくなる。従って、下位ドレンアップ装置３は設置場所が限定されることなく配置できる。つまり、子機の下位ドレンアップ装置３の設置場所の自由度が向上する。
【００６４】
７．制御基板１ａ、２ａ、３ａへの各配線接続はコネクタまたは端子台接続としているため、接続作業を容易に行うことができる。そのため、室内ユニット１、上位・下位ドレンアップ装置２、３の各据付作業性を向上することができる。
【００６５】
８．室内ユニット１の制御基板１ａと上位ドレンアップ装置２の制御基板２ａと下位ドレンアップ装置３の制御基板３ａとは、信号用の接続と電源用の接続とがそれぞれ直列に接続されているので、渡り配線できる。
また、室内ユニット１が上位ドレンアップ装置２のドレン水の異常水位を検知できるとともに、上位ドレンアップ装置２が下位ドレンアップ装置３のドレン水の異常水位を検知できる。
加えて、信号用の接続と電源用の接続とをそれぞれ渡り配線で接続できるため、接続作業性がよい。
【００６６】
＜＜その他の実施形態＞＞
１．実施形態１の図１では、壁掛け型の室内ユニット１を例示して説明したが、天井カセット型、天井埋め込み型、床置き型等の室内ユニットでも適用可能である。また、本発明のドレンアップ装置は空気調和機Ｃの室内ユニット１に限らず、他のドレン水等の排水が必要な機器にも適用できる。
【００６７】
２．特許請求の範囲の請求項１の他の機器とは、図４、図５の制御基板３ａに示すように自身とは別のドレンアップ装置を含むものとする。
【００６８】
３．本発明は前記した実施形態に限定されるものではなく、様々な変形形態が含まれる。例えば、上記した実施形態は本発明を分かりやすく説明するために詳細に説明したものであり、必ずしも説明した全ての構成を備えるものに限定されるものではない。また、ある実施形態の構成の一部を他の形態の構成に置き換えることが可能であり、また、ある実施形態の構成に他の形態の構成を加えることも可能である。また、実施形態の構成の一部について、他の構成を追加・削除・置換することが可能である。 
【符号の説明】
【００６９】
１      室内ユニット
２      ドレンアップ装置
３      ドレンアップ装置（他のドレンアップ装置）
２ａ    制御基板（第一の制御基板）
２ａ１  第一の接続部（信号用の第一の接続部）
２ａ２  第二の接続部（信号用の第二の接続部）
２ａ３  第三の接続部（信号用の第三の接続部）
３ａ    制御基板（第二の制御基板）
２ｖ１  第一の接続部（電源用の第一の接続部）
２ｖ２  第二の接続部（電源用の第二の接続部）
６      水槽
１１    ドレンポンプ
１３    ドレンセンサ（センサ）
Ｃ      空気調和機
【図１】
0006704264.tif 000002
【図２】
0006704264.tif 000003
【図３】
0006704264.tif 000004
【図４】
0006704264.tif 000005
【図５】
0006704264.tif 000006
【図６】
0006704264.tif 000007
【図７】
0006704264.tif 000008